(57)【要約】  本開示のいくつかの態様は、一般にワイヤレス通信に関し、より詳細には、ｅＭＴＣ  ＵＬマルチユーザ多重化をサポートするフレーム構造を通してユーザ容量を増加させることに関する。態様によれば、ＵＥは、より広いシステム帯域幅内の少なくとも１つの狭帯域領域を識別することと、狭帯域領域中で、１つまたは複数の他のＵＥによって送信されるシンボルと多重化される物理アップリンクチャネルのシンボルを送信するための、ＵＥに割り当てられた少なくとも１つのパラメータを決定することと、少なくとも１つの決定されたパラメータを使用して物理アップリンクチャネルを送信することとを行い得る。
2018526867.tif 000002
【特許請求の範囲】
【請求項１】
ユーザ機器（ＵＥ）によるワイヤレス通信のための方法であって、
より広いシステム帯域幅内の少なくとも１つの狭帯域領域を識別することと、
前記狭帯域領域中で、１つまたは複数の他のＵＥによって送信されるシンボルと多重化される物理アップリンクチャネルのシンボルを送信するための、前記ＵＥに割り当てられた少なくとも１つのパラメータを決定することと、
前記少なくとも１つの決定されたパラメータを使用して前記物理アップリンクチャネルを送信することと
を備える、方法。
【請求項２】
前記少なくとも１つのパラメータがサイクリックシフトを備え、
前記物理アップリンクチャネルを送信することが、前記物理アップリンクチャネルの１つまたは複数のシンボル中で基準信号（ＲＳ）を送信するために前記サイクリックシフトを適用することを備える、
請求項１に記載の方法。
【請求項３】
前記少なくとも１つのパラメータが拡散コードを備え、
前記物理アップリンクチャネルを送信することが、前記物理アップリンクチャネルの複数のシンボル中で基準信号（ＲＳ）を送信するために前記拡散コードを適用することを備える、
請求項１に記載の方法。
【請求項４】
前記少なくとも１つのパラメータが拡散コードを備え、
前記物理アップリンクチャネルを送信することが、前記物理アップリンクチャネルの複数のシンボル中でデータシンボルを送信するために前記拡散コードを適用することを備える、
請求項１に記載の方法。
【請求項５】
前記少なくとも１つのパラメータが、前記物理アップリンクチャネルのサブフレームのフォーマット、バンドリングサイズ、またはカバレージ拡張（ＣＥ）レベルに少なくとも部分的に基づく、構成可能な拡散率（ＳＦ）を備え、
前記物理アップリンクチャネルを送信することが、前記物理アップリンクチャネルの複数のシンボルを送信するために前記ＳＦを適用することを備える、
請求項１に記載の方法。
【請求項６】
前記決定することが、サブフレームホッピングパターンを識別することを備え、
前記物理アップリンクチャネルを送信することが、前記狭帯域領域内で、第１のサブフレーム中に第１の周波数を使用し、その後、第２のサブフレーム中に第２の周波数を使用して前記物理アップリンクチャネルを送信するために、拡散率を適用することを備え、前記第１の周波数および前記第２の周波数が前記ホッピングパターンに基づいて決定される、
請求項１に記載の方法。
【請求項７】
前記拡散率が、前記第１の周波数から前記第２の周波数に再同調するための時間に少なくとも部分的に基づく、請求項６に記載の方法。
【請求項８】
前記第１の周波数から前記第２の周波数への前記再同調が、前記第１のサブフレームの最後の１つまたは複数のシンボル、または前記第２のサブフレームの最初の１つまたは複数のシンボルのうちの少なくとも一方の間に生じ得る、請求項７に記載の方法。
【請求項９】
前記決定することが、スロットベースホッピングパターンを識別することを備え、
前記物理アップリンクチャネルを送信することが、前記狭帯域領域内で、サブフレームの第１のスロット中に第１の周波数上で、その後、前記サブフレームの第２のスロット中に第２の周波数上で前記物理アップリンクチャネルを送信するために、拡散率を適用することを備え、前記第１の周波数および前記第２の周波数が前記ホッピングパターンに基づいて決定される、
請求項１に記載の方法。
【請求項１０】
前記拡散率が、前記サブフレーム内で前記第１の周波数から前記第２の周波数に再同調するための時間に少なくとも部分的に基づく、請求項９に記載の方法。
【請求項１１】
前記物理アップリンクチャネルを送信することが、前記物理アップリンクチャネルのサブフレームの複数のシンボル中であるいは前記物理アップリンクチャネルの複数のサブフレームにわたって基準信号（ＲＳ）またはデータシンボルのうちの一方を送信するために、拡散コードを適用することを備える、請求項１に記載の方法。
【請求項１２】
前記少なくとも１つのパラメータが、１に等しいかまたはそれよりも大きい拡散率を備え、
前記ＵＥのみが、前記物理アップリンクチャネル上のリソースブロック上での送信のためにスケジュールされる、
請求項１に記載の方法。
【請求項１３】
前記少なくとも１つのパラメータが拡散コードをさらに備え、
前記物理アップリンクチャネルを送信することが、前記物理アップリンクチャネルの複数のシンボル中で基準前記信号（ＲＳ）を送信するために前記拡散コードを適用することをさらに備える、
請求項２に記載の方法。
【請求項１４】
発展型ノードＢ（ｅＮＢ）によるワイヤレス通信のための方法であって、
より広いシステム帯域幅内の少なくとも１つの狭帯域領域を識別することと、
前記狭帯域領域中での、１つまたは複数の他のＵＥによって送信されるシンボルと多重化される物理アップリンクチャネルのシンボルの送信のための少なくとも１つのパラメータをユーザ機器に割り当てることと、
前記ＵＥから、前記少なくとも１つの割り当てられたパラメータを使用して前記物理アップリンクチャネルを受信することと
を備える、方法。
【請求項１５】
前記少なくとも１つのパラメータがサイクリックシフトを備え、
前記物理アップリンクチャネルを受信することが、前記物理アップリンクチャネルの１つまたは複数のシンボル中で、適用された前記サイクリックシフトを用いて基準信号（ＲＳ）を受信することを備える、
請求項１４に記載の方法。
【請求項１６】
前記少なくとも１つのパラメータが拡散コードを備え、
前記物理アップリンクチャネルを受信することが、適用された前記拡散コードを用いて前記物理アップリンクチャネルの複数のシンボル中で基準信号（ＲＳ）を受信することを備える、
請求項１４に記載の方法。
【請求項１７】
前記少なくとも１つのパラメータが拡散コードを備え、
前記物理アップリンクチャネルを受信することが、適用された前記拡散コードを用いて前記物理アップリンクチャネルの複数のシンボル中でデータシンボルを受信することを備える、
請求項１４に記載の方法。
【請求項１８】
前記少なくとも１つのパラメータが、前記物理アップリンクチャネルのサブフレームのフォーマット、バンドリングサイズ、またはカバレージ拡張（ＣＥ）レベルに少なくとも部分的に基づく、構成可能な拡散率（ＳＦ）を備え、
前記物理アップリンクチャネルを受信することが、適用された前記ＳＦを用いて前記物理アップリンクチャネルの複数のシンボルを受信することを備える、
請求項１４に記載の方法。
【請求項１９】
前記少なくとも１つのパラメータを割り当てることが、サブフレームホッピングパターンを割り当てることを備え、
前記物理アップリンクチャネルを受信することが、前記狭帯域領域内で、第１のサブフレーム中に第１の周波数上で、その後、第２のサブフレーム中に第２の周波数上で、適用された拡散率（ＳＦ）を用いて前記物理アップリンクチャネルを受信することを備え、前記第１の周波数および前記第２の周波数が前記ホッピングパターンに基づいて決定される、
請求項１４に記載の方法。
【請求項２０】
前記拡散率は、前記ＵＥが前記第１の周波数から前記第２の周波数に再同調するための時間に少なくとも部分的に基づく、請求項１９に記載の方法。
【請求項２１】
前記第１の周波数から前記第２の周波数への前記再同調が、前記第１のサブフレームの最後の１つまたは複数のシンボル、または前記第２のサブフレームの最初の１つまたは複数のシンボルのうちの少なくとも一方の間に生じ得る、請求項２０に記載の方法。
【請求項２２】
前記決定することが、スロットベースホッピングパターンを識別することを備え、
前記物理アップリンクチャネルを受信することが、前記狭帯域領域内で、サブフレームの第１のスロット中に第１の周波数上で、その後、前記サブフレームの第２のスロット中に第２の周波数上で、適用された拡散率（ＳＦ）を用いて前記物理アップリンクチャネルを受信することを適用することを備え、前記第１の周波数および前記第２の周波数が前記ホッピングパターンに基づいて決定される、
請求項１４に記載の方法。
【請求項２３】
前記拡散率は、前記ＵＥが前記サブフレーム内で前記第１の周波数から前記第２の周波数に再同調するための時間に少なくとも部分的に基づく、請求項２２に記載の方法。
【請求項２４】
前記物理アップリンクチャネルを受信することが、適用された拡散コードを用いて、前記物理アップリンクチャネルのサブフレームの複数のシンボル中であるいは前記物理アップリンクチャネルの複数のサブフレームにわたって基準信号（ＲＳ）またはデータシンボルのうちの一方を受信することを備える、請求項１４に記載の方法。
【請求項２５】
前記少なくとも１つのパラメータが、１に等しいかまたはそれよりも大きい拡散率（ＳＦ）を備え、
前記物理アップリンクチャネル上のリソースブロック上での送信のために前記ＵＥのみをスケジュールすることをさらに備える、
請求項１４に記載の方法。
【請求項２６】
ユーザ機器（ＵＥ）によるワイヤレス通信のための装置であって、
より広いシステム帯域幅内の少なくとも１つの狭帯域領域を識別するための手段と、
前記狭帯域領域中で、１つまたは複数の他のＵＥによって送信されるシンボルと多重化される物理アップリンクチャネルのシンボルを送信するための、前記ＵＥに割り当てられた少なくとも１つのパラメータを決定するための手段と、
前記少なくとも１つの決定されたパラメータを使用して前記物理アップリンクチャネルを送信するための手段と
を備える、装置。
【請求項２７】
前記少なくとも１つのパラメータがサイクリックシフトを備え、
前記物理アップリンクチャネルを送信するための前記手段が、前記物理アップリンクチャネルの１つまたは複数のシンボル中で基準信号（ＲＳ）を送信するために前記サイクリックシフトを適用するための手段を備える、
請求項２６に記載の装置。
【請求項２８】
前記少なくとも１つのパラメータが拡散コードを備え、
前記物理アップリンクチャネルを送信するための前記手段が、前記物理アップリンクチャネルの複数のシンボル中で基準信号（ＲＳ）を送信するために前記拡散コードを適用するための手段を備える、
請求項２６に記載の装置。
【請求項２９】
発展型ノードＢ（ｅＮＢ）によるワイヤレス通信のための装置であって、
より広いシステム帯域幅内の少なくとも１つの狭帯域領域を識別するための手段と、
前記狭帯域領域中での、１つまたは複数の他のＵＥによって送信されるシンボルと多重化される物理アップリンクチャネルのシンボルの送信のための少なくとも１つのパラメータをユーザ機器に割り当てるための手段と、
前記ＵＥから、前記少なくとも１つの割り当てられたパラメータを使用して前記物理アップリンクチャネルを受信するための手段と
を備える、装置。
【請求項３０】
前記少なくとも１つのパラメータがサイクリックシフトを備え、
前記物理アップリンクチャネルを受信するための前記手段が、前記物理アップリンクチャネルの１つまたは複数のシンボル中で、適用された前記サイクリックシフトを用いて基準信号（ＲＳ）を受信するための手段を備える、
請求項２９に記載の装置。
【発明の詳細な説明】
【技術分野】
【０００１】
関連出願の相互参照
[0001]本出願は、その全体が両方とも参照により本明細書に明確に組み込まれる、２０１５年７月８日に出願された「MULTI-USER MULTIPLEXING FRAME STRUCTURE FOR eMTC」と題する米国仮出願第６２／１９０，２４８号の利益を主張する、２０１６年７月５日に出願された米国出願第１５／２０２，０２３号の優先権を主張する。
【０００２】
[0002]本開示のいくつかの態様は、一般にワイヤレス通信に関し、より詳細には、マシンタイプ通信（ＭＴＣ：machine type communication）デバイスおよび拡張ＭＴＣ（ｅＭＴＣ：enhanced MTC）デバイスのためのマルチユーザ多重化をサポートするフレーム構造に関する。
【背景技術】
【０００３】
[0003]ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、ロングタームエボリューション（ＬＴＥ（登録商標）：Long Term Evolution）アドバンストを含む第３世代パートナーシッププロジェクト（３ＧＰＰ（登録商標）：3rd Generation Partnership Project）ＬＴＥシステムおよび直交周波数分割多元接続（ＯＦＤＭＡ）システムがある。
【０００４】
[0004]概して、ワイヤレス多元接続通信システムは、複数のワイヤレス端末のための通信を同時にサポートすることができる。各端末は、順方向リンクおよび逆方向リンク上での送信を介して１つまたは複数の基地局と通信する。順方向リンク（またはダウンリンク）は基地局から端末への通信リンクを指し、逆方向リンク（またはアップリンク）は端末から基地局への通信リンクを指す。この通信リンクは、単入力単出力、多入力単出力または多入力多出力（ＭＩＭＯ）システムを介して確立され得る。
【０００５】
[0005]ワイヤレス通信ネットワークは、いくつかのワイヤレスデバイスのための通信をサポートすることができるいくつかの基地局を含み得る。ワイヤレスデバイスはユーザ機器（ＵＥ）を含み得る。ＵＥのいくつかの例としては、セルラーフォン、スマートフォン、携帯情報端末（ＰＤＡ）、ワイヤレスモデム、ハンドヘルドデバイス、タブレット、ラップトップコンピュータ、ネットブック、スマートブック、ウルトラブックなどがあり得る。いくつかのＵＥは、基地局（ＢＳ）、発展型ノードＢ（ｅＮＢ）別のリモートデバイス、または何らかの他のエンティティと通信し得る、センサー、メーター、モニタ、ロケーションタグ、ドローン、トラッカー、ロボットなどのリモートデバイスを含み得る、マシンタイプ通信（ＭＴＣ）ＵＥおよび／または発展型ＭＴＣ  ＵＥと見なされ得る。ＭＴＣは、通信の少なくとも１つの端部上の少なくとも１つのリモートデバイスに関与する通信を指すことがあり、必ずしも人間の対話を必要とするとは限らない１つまたは複数のエンティティを伴うデータ通信の形態を含み得る。ＭＴＣ  ＵＥおよびｅＭＴＣ  ＵＥは、たとえば、パブリックランドモバイルネットワーク（ＰＬＭＮ）を介した、ＭＴＣサーバおよび／または他のＭＴＣデバイスとのＭＴＣ通信が可能であるＵＥを含み得る。
【発明の概要】
【０００６】
[0006]本開示のシステム、方法、およびデバイスは、それぞれいくつかの態様を有し、それらのうちの単一の態様が単独で本開示の望ましい属性を担当するとは限らない。次に、以下の特許請求の範囲によって表される本開示の範囲を限定することなしに、いくつかの特徴が手短に説明される。この説明を考察すれば、特に「発明を実施するための形態」と題するセクションを読めば、本開示の特徴が、ワイヤレスネットワークにおけるアクセスポイントと局との間の改善された通信を含む利点をどのように提供するかが理解されよう。
【０００７】
[0007]本開示のいくつかの態様は、ユーザ機器によるワイヤレス通信のための方法を提供する。本方法は、概して、より広いシステム帯域幅内の少なくとも１つの狭帯域領域を識別することと、狭帯域領域中で、１つまたは複数の他のＵＥによって送信されるシンボルと多重化される物理アップリンクチャネルのシンボルを送信するための、ＵＥに割り当てられた少なくとも１つのパラメータを決定することと、少なくとも１つの決定されたパラメータを使用して物理アップリンクチャネルを送信することとを含む。
【０００８】
[0008]本明細書でより詳細に説明されるように、少なくとも１つのパラメータは、サイクリックシフトまたは拡散コードのうちの少なくとも１つを備え得る。少なくとも１つのパラメータは、拡散率を示す値をとり得る。パラメータがサイクリックシフトを備えるとき、ＵＥは、物理アップリンクチャネルの１つまたは複数のシンボル中で基準信号（ＲＳ：reference signal）を送信するためにサイクリックシフトを適用することによって物理アップリンクチャネルを送信し得る。パラメータが拡散コードを備えるとき、ＵＥは、物理アップリンクチャネルの複数のシンボル中で基準信号（ＲＳ）を送信するために拡散コードを適用することによって物理アップリンクチャネルを送信し得る。追加または代替として、パラメータが拡散コードを備えるとき、ＵＥは、物理アップリンクチャネルの複数のシンボル中でデータシンボルを送信するために拡散コードを適用することによって物理アップリンクチャネルを送信し得る。
【０００９】
[0009]態様によれば、パラメータは、物理アップリンクチャネルのサブフレームのフォーマット、バンドリングサイズ、またはカバレージ拡張（ＣＥ：coverage enhancement）レベルに少なくとも部分的に基づく、構成可能な拡散率（ＳＦ：spreading factor）を備え得る。ＵＥは、物理アップリンクチャネルの複数のシンボルを送信するためにＳＦを適用することによって物理アップリンクチャネルを送信し得る。
【００１０】
[0010]狭帯域領域中で物理アップリンクチャネルのシンボルを送信するための、ＵＥに割り当てられた少なくとも１つのパラメータを決定することは、サブフレームホッピングパターンを識別することと、狭帯域領域内で、第１のサブフレーム中に第１の周波数を使用し、その後、第２のサブフレーム中に第２の周波数を使用して物理アップリンクチャネルを送信するために、拡散率を適用することによって物理アップリンクチャネルを送信することとを含み得、ここにおいて、第１の周波数および第２の周波数はホッピングパターンに基づいて決定され得る。拡散率は、第１の周波数から第２の周波数に再同調するための時間に少なくとも部分的に基づき得る。第１の周波数から第２の周波数への再同調は、第１のサブフレームの最後の１つまたは複数のシンボル、または第２のサブフレームの最初の１つまたは複数のシンボルのうちの少なくとも一方の間に生じ得る。
【００１１】
[0011]狭帯域領域中で物理アップリンクチャネルのシンボルを送信するための、ＵＥに割り当てられた少なくとも１つのパラメータを決定することは、スロットベースホッピングパターンを識別することを含み得る。物理アップリンクチャネルを送信することは、狭帯域領域内で、サブフレームの第１のスロット中に第１の周波数上で、その後、サブフレームの第２のスロット中に第２の周波数上で物理アップリンクチャネルを送信するために、拡散率を適用することを含み得、ここにおいて、第１の周波数および第２の周波数はホッピングパターンに基づいて決定され得る。拡散率は、サブフレーム内で第１の周波数から第２の周波数に再同調するための時間（たとえば、サブフレームの第１のスロットと第２のスロットとの間で再同調するための時間）に少なくとも部分的に基づき得る。
【００１２】
[0012]ＵＥは、物理アップリンクチャネルのサブフレームの複数のシンボル中であるいは物理アップリンクチャネルの複数のサブフレームにわたって基準信号（ＲＳ）またはデータシンボルのうちの一方を送信するために、拡散コードを適用することによって物理アップリンクチャネルを送信し得る。
【００１３】
[0013]ＵＥに割り当てられた少なくとも１つのパラメータは、１に等しいかまたはそれよりも大きい拡散率（ＳＦ）を含み得る。態様によれば、ＳＦが１に等しいかまたはそれよりも大きいとき、そのＵＥのみが、物理アップリンクチャネル上のリソースブロック上での送信のためにスケジュールされ得る。
【００１４】
[0014]態様によれば、少なくとも１つのパラメータは、サイクリックシフトを含み得、拡散コードをさらに含み得る。物理アップリンクチャネルを送信することは、物理アップリンクチャネルの複数のシンボル中で基準信号（ＲＳ）を送信するために拡散コードとサイクリックシフトとを適用することを含み得る。
【００１５】
[0015]本開示のいくつかの態様は、発展型ノードＢ（ｅＮＢ）によるワイヤレス通信のための方法を提供する。本方法は、概して、より広いシステム帯域幅内の少なくとも１つの狭帯域領域を識別することと、狭帯域領域中での、１つまたは複数の他のＵＥによって送信されるシンボルと多重化される物理アップリンクチャネルのシンボルの送信のための少なくとも１つのパラメータをユーザ機器（ＵＥ）に割り当てることと、ＵＥから、少なくとも１つの割り当てられたパラメータを使用して物理アップリンクチャネルを受信することとを含む。
【００１６】
[0016]態様によれば、少なくとも１つのパラメータはサイクリックシフトを含み得る。ｅＮＢが物理アップリンクチャネルを受信することは、物理アップリンクチャネルの１つまたは複数のシンボル中で、適用されたサイクリックシフトを用いて基準信号（ＲＳ）を受信することを含み得る。
【００１７】
[0017]態様によれば、少なくとも１つのパラメータは拡散コードを含み得る。ｅＮＢが物理アップリンクチャネルを受信することは、物理アップリンクチャネルの複数のシンボル中で、適用された拡散コードを用いて基準信号（ＲＳ）を受信することを含み得る。ｅＮＢが物理アップリンクチャネルを受信することは、物理アップリンクチャネルの複数のシンボル中で、適用された拡散コードを用いてデータシンボルを受信することを含み得る。
【００１８】
[0018]態様によれば、少なくとも１つのパラメータは、物理アップリンクチャネルのサブフレームのフォーマット、バンドリングサイズ、またはカバレージ拡張（ＣＥ）レベルに少なくとも部分的に基づく、構成可能な拡散率（ＳＦ）を含み得る。ｅＮＢが物理アップリンクチャネルを受信することは、適用されたＳＦを用いて物理アップリンクチャネルの複数のシンボルを受信することを含み得る。
【００１９】
[0019]態様によれば、少なくとも１つのパラメータをＵＥに割り当てることは、サブフレームホッピングパターンを割り当てることを含み得、物理アップリンクチャネルを受信することは、狭帯域領域内で、第１のサブフレーム中に第１の周波数上で、その後、第２のサブフレーム中に第２の周波数上で、適用された拡散率（ＳＦ）を用いて物理アップリンクチャネルを受信することを含み得、第１の周波数および第２の周波数はサブフレームホッピングパターンに基づいて決定される。拡散率は、ＵＥが第１の周波数から第２の周波数に再同調するための時間に少なくとも部分的に基づき得る。第１の周波数から第２の周波数への再同調は、第１のサブフレームの最後の１つまたは複数のシンボル、または第２のサブフレームの最初の１つまたは複数のシンボルのうちの少なくとも一方の間に生じ得る。
【００２０】
[0020]態様によれば、少なくとも１つのパラメータをＵＥに割り当てることは、スロットベースホッピングパターンを識別することを含み得、物理アップリンクチャネルを受信することは、狭帯域領域内で、サブフレームの第１のスロット中に第１の周波数上で、その後、サブフレームの第２のスロット中に第２の周波数上で、適用された拡散率（ＳＦ）を用いて物理アップリンクチャネルを受信することを含み得、第１の周波数および第２の周波数はホッピングパターンに基づいて決定される。拡散率は、ＵＥがサブフレーム内で第１の周波数から第２の周波数に再同調するための時間に少なくとも部分的に基づき得る。
【００２１】
[0021]態様によれば、ｅＮＢが物理アップリンクチャネルを受信することは、適用された拡散コードを用いて、物理アップリンクチャネルのサブフレームの複数のシンボル中であるいは物理アップリンクチャネルの複数のサブフレームにわたって基準信号（ＲＳ）またはデータシンボルのうちの一方を受信することを含み得る。
【００２２】
[0022]ＵＥに割り当てられた少なくとも１つのパラメータは、１に等しいかまたはそれよりも大きい拡散率（ＳＦ）を含み得る。ｅＮＢは、ＳＦが１に等しいかまたはそれよりも大きいとき、物理アップリンクチャネル上のリソースブロック上での送信のためにそのＵＥのみをスケジュールし得る。
【００２３】
[0023]本開示のいくつかの態様は、ユーザ機器（ＵＥ）によるワイヤレス通信のための装置を提供する。本装置は、概して、より広いシステム帯域幅内の少なくとも１つの狭帯域領域を識別するための手段と、狭帯域領域中で、１つまたは複数の他のＵＥによって送信されるシンボルと多重化される物理アップリンクチャネルのシンボルを送信するための、ＵＥに割り当てられた少なくとも１つのパラメータを決定するための手段と、少なくとも１つの決定されたパラメータを使用して物理アップリンクチャネルを送信するための手段とを含む。
【００２４】
[0024]本開示のいくつかの態様は、発展型ノードＢ（ｅＮＢ）によるワイヤレス通信のための装置を提供する。本装置は、概して、より広いシステム帯域幅内の少なくとも１つの狭帯域領域を識別するための手段と、狭帯域領域中での、１つまたは複数の他のＵＥによって送信されるシンボルと多重化される物理アップリンクチャネルのシンボルの送信のための少なくとも１つのパラメータをユーザ機器（ＵＥ）に割り当てるための手段と、ＵＥから、少なくとも１つの割り当てられたパラメータを使用して物理アップリンクチャネルを受信するための手段とを含む。
【００２５】
[0025]本開示のいくつかの態様は、ユーザ機器（ＵＥ）によるワイヤレス通信のための装置を提供する。本装置は、概して、少なくとも１つのプロセッサと、少なくとも１つのプロセッサと結合されたメモリとを含む。少なくとも１つのプロセッサは、概して、より広いシステム帯域幅内の少なくとも１つの狭帯域領域を識別することと、狭帯域領域中で、１つまたは複数の他のＵＥによって送信されるシンボルと多重化される物理アップリンクチャネルのシンボルを送信するための、ＵＥに割り当てられた少なくとも１つのパラメータを決定することと、少なくとも１つの決定されたパラメータを使用して物理アップリンクチャネルを送信することとを行うように構成される。
【００２６】
[0026]本開示のいくつかの態様は、発展型ノードＢ（ｅＮＢ）によるワイヤレス通信のための装置を提供する。本装置は、概して、少なくとも１つのプロセッサと、少なくとも１つのプロセッサと結合されたメモリとを含む。少なくとも１つのプロセッサは、概して、より広いシステム帯域幅内の少なくとも１つの狭帯域領域を識別することと、狭帯域領域中での、１つまたは複数の他のＵＥによって送信されるシンボルと多重化される物理アップリンクチャネルのシンボルの送信のための少なくとも１つのパラメータをユーザ機器（ＵＥ）に割り当てることと、ＵＥから、少なくとも１つの割り当てられたパラメータを使用して物理アップリンクチャネルを受信することとを行うように構成される。
【００２７】
[0027]本開示のいくつかの態様は、ユーザ機器（ＵＥ）に、より広いシステム帯域幅内の少なくとも１つの狭帯域領域を識別することと、狭帯域領域中で、１つまたは複数の他のＵＥによって送信されるシンボルと多重化される物理アップリンクチャネルのシンボルを送信するための、ＵＥに割り当てられた少なくとも１つのパラメータを決定することと、少なくとも１つの決定されたパラメータを使用して物理アップリンクチャネルを送信することとを行わせるためのコンピュータ実行可能コードを記憶するコンピュータ可読媒体を提供する。
【００２８】
[0028]本開示のいくつかの態様は、発展型ノードＢ（ｅＮＢ）に、より広いシステム帯域幅内の少なくとも１つの狭帯域領域を識別することと、狭帯域領域中での、１つまたは複数の他のＵＥによって送信されるシンボルと多重化される物理アップリンクチャネルのシンボルの送信のための少なくとも１つのパラメータをユーザ機器（ＵＥ）に割り当てることと、ＵＥから、少なくとも１つの割り当てられたパラメータを使用して物理アップリンクチャネルを受信することとを行わせるためのコンピュータ実行可能コードを記憶するコンピュータ可読媒体を提供する。
【００２９】
[0029]方法、装置、システム、コンピュータプログラム製品、および処理システムを含む多数の他の態様が提供される。
【００３０】
[0030]本開示の上記で具陳された特徴が詳細に理解され得るように、添付の図面にその一部を示す態様を参照することによって、上記で手短に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。
【図面の簡単な説明】
【００３１】
【図１】[0031]本開示のいくつかの態様による、例示的なワイヤレス通信ネットワークを示す図。
【図２】[0032]本開示のいくつかの態様による、ワイヤレス通信ネットワークにおいてユーザ機器（ＵＥ）と通信している発展型ノードＢ（ｅＮＢ）の一例を概念的に示すブロック図。
【図３】[0033]本開示のいくつかの態様による、ワイヤレス通信ネットワークにおいて使用するための特定の無線アクセス技術（ＲＡＴ）のための例示的なフレーム構造を示す図。
【図４】[0034]本開示のいくつかの態様による、ノーマルサイクリックプレフィックスをもつダウンリンクのための例示的なサブフレームフォーマットを示す図。
【図５】[0035]本開示のいくつかの態様による、例示的なアップリンクフレーム構造を示す図。
【図６】[0036]本開示のいくつかの態様による、ＵＥによって実行されるワイヤレス通信のための例示的な動作を示す図。
【図７】[0037]本開示のいくつかの態様による、ｅＮＢによって実行されるワイヤレス通信のための例示的な動作を示す図。
【図８】[0038]本開示の態様による、マルチユーザ多重化のための例示的なフレーム構造を示す図。
【図９】[0039]本開示の態様による、アップリンクマルチユーザ多重化をサポートする例示的なサブフレームフォーマットを示す図。
【発明を実施するための形態】
【００３２】
[0040]本開示の態様は、マシンタイプ通信（ＭＴＣ）デバイス、拡張ＭＴＣ（ｅＭＴＣ）デバイスなど、限られた通信リソースをもつデバイスのためのカバレージを向上させるための技法および装置を提供する。複数のユーザをサポートするために、（たとえば、リソースブロック（ＲＢ）が、時間領域中の１スロット期間ごとに周波数領域中に１２個の連続するサブキャリアを含み得る、１ＲＢ設計において）十分な次元／リソースを有しないことに少なくとも部分的に基づいて、ｅＭＴＣデバイスのための設計課題が存在し得る。本明細書で説明される態様は、アップリンクマルチユーザ多重化のためのフレーム構造を可能にする。
【００３３】
[0041]本明細書でより詳細に説明されるように、本開示の態様は、ＬＴＥヌメロロジー（numerology）に整合したままであること、ユーザ容量とデータレートとのバランスをとるためにフレキシブルな拡散率調整を行うこと、ｅＮＢスケジューリングを用いてトラッキングループを改善すること、ユーザ間の直交性を与えること、およびデータレートまたはトランスポートブロックサイズを低減することなしにユーザ容量を改善することを行いながら、ユーザ容量を増加させ得る。
【００３４】
[0042]本明細書で説明される技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークのために使用され得る。「ネットワーク」および「システム」という用語は、しばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（Ｗ−ＣＤＭＡ（登録商標））、時分割同期ＣＤＭＡ（ＴＤ−ＳＣＤＭＡ）、およびＣＤＭＡの他の変形態を含む。ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。周波数分割複信（ＦＤＤ）と時分割複信（ＴＤＤ）の両方における３ＧＰＰロングタームエボリューション（ＬＴＥ）およびＬＴＥ−アドバンスト（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明される技法は、上記のワイヤレスネットワークおよび無線技術、ならびに他のワイヤレスネットワークおよび無線技術のために使用され得る。明快のために、本技法のいくつかの態様が以下ではＬＴＥ／ＬＴＥ−Ａについて説明され、以下の説明の大部分でＬＴＥ／ＬＴＥ−Ａ用語が使用される。ＬＴＥおよびＬＴＥ−Ａは、一般にＬＴＥと呼ばれる。
【００３５】
例示的なワイヤレス通信システム
[0043]図１は、本開示の態様が実施され得る、発展型ノードＢ（ｅＮＢ）とユーザ機器（ＵＥ）とを含む例示的なワイヤレス通信ネットワーク１００を示す。
【００３６】
[0044]本明細書で説明されるように、ＵＥおよびｅＮＢは、より広いシステム帯域幅のうちの少なくとも１つの狭帯域領域中でのマルチユーザアップリンク多重化をサポートするフレーム構造を使用してネットワーク１００中で動作し得る。ＵＥは、より広いシステム帯域幅内の少なくとも１つの狭帯域領域を識別することと、狭帯域領域中で、１つまたは複数の他のＵＥによって送信されるシンボルと多重化される物理アップリンクチャネルのシンボルを送信するための、ＵＥに割り当てられた少なくとも１つのパラメータを決定することと、少なくとも１つの決定されたパラメータを使用して物理アップリンクチャネルを送信することとを行い得る。
【００３７】
[0045]対応して、ｅＮＢは、より広いシステム帯域幅内の少なくとも１つの狭帯域領域を識別することと、狭帯域領域中での、１つまたは複数の他のＵＥによって送信されるシンボルと多重化される物理アップリンクチャネルのシンボルの送信のための少なくとも１つのパラメータをＵＥに割り当てることと、ＵＥから、少なくとも１つの割り当てられたパラメータを使用して物理アップリンクチャネルを受信することとを行い得る。本明細書で説明されるように、パラメータは、ＵＥによるＵＬ送信のためのサイクリックシフト、拡散コード、拡散率、サブフレームホッピングパターン、またはスロットベースホッピングパターンのうちの１つまたは複数を示し得る。
【００３８】
[0046]ワイヤレス通信ネットワーク１００は、ＬＴＥネットワークまたは何らかの他のワイヤレスネットワークであり得る。ワイヤレス通信ネットワーク１００は、いくつかの発展型ノードＢ（ｅＮＢ）１１０と他のネットワークエンティティとを含み得る。ｅＮＢは、ユーザ機器（ＵＥ）と通信するエンティティであり、基地局（ＢＳ）、ノードＢ、アクセスポイント（ＡＰ）などと呼ばれることもある。各ｅＮＢは、特定の地理的エリアに通信カバレージを与え得る。３ＧＰＰでは、「セル」という用語は、この用語が使用されるコンテキストに応じて、ｅＮＢのカバレージエリアおよび／またはこのカバレージエリアをサービスしているｅＮＢサブシステムを指すことがある。
【００３９】
[0047]ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：closed subscriber group）中のＵＥ）による制限付きアクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはフェムトｅＮＢまたはホームｅＮＢ（ＨｅＮＢ）と呼ばれることがある。図１に示されている例では、ｅＮＢ１１０ａがマクロセル１０２ａのためのマクロｅＮＢであり得、ｅＮＢ１１０ｂがピコセル１０２ｂのためのピコｅＮＢであり得、ｅＮＢ１１０ｃがフェムトセル１０２ｃのためのフェムトｅＮＢであり得る。ｅＮＢは、１つまたは複数の（たとえば、３つの）セルをサポートし得る。「ｅＮＢ」、「基地局」、および「セル」という用語は、本明細書では互換的に使用され得る。
【００４０】
[0048]ワイヤレス通信ネットワーク１００はまた、中継局を含み得る。中継局は、上流局（たとえば、ｅＮＢまたはＵＥ）からデータの送信を受信し、そのデータの送信を下流局（たとえば、ＵＥまたはｅＮＢ）に送ることができるエンティティである。中継局はまた、他のＵＥに対する送信を中継することができるＵＥであり得る。図１に示されている例では、中継（局）ｅＮＢ１１０ｄは、ｅＮＢ１１０ａとＵＥ１２０ｄとの間の通信を可能にするために、マクロｅＮＢ１１０ａおよびＵＥ１２０ｄと通信し得る。中継局は、リレーｅＮＢ、リレー基地局、リレーなどと呼ばれることもある。
【００４１】
[0049]ワイヤレス通信ネットワーク１００は、異なるタイプのｅＮＢ、たとえば、マクロｅＮＢ、ピコｅＮＢ、フェムトｅＮＢ、リレーｅＮＢなどを含む異種ネットワークであり得る。これらの異なるタイプのｅＮＢは、異なる送信電力レベル、異なるカバレージエリア、およびワイヤレス通信ネットワーク１００における干渉に対する異なる影響を有し得る。たとえば、マクロｅＮＢは、高い送信電力レベル（たとえば、５〜４０Ｗ）を有し得るが、ピコｅＮＢ、フェムトｅＮＢ、およびリレーｅＮＢは、より低い送信電力レベル（たとえば、０．１〜２Ｗ）を有し得る。
【００４２】
[0050]ネットワークコントローラ１３０は、ｅＮＢのセットに結合し得、これらのｅＮＢの協調および制御を行い得る。ネットワークコントローラ１３０はバックホールを介してｅＮＢと通信し得る。ｅＮＢはまた、たとえば、ワイヤレスバックホールまたはワイヤラインバックホールを介して直接または間接的に互いに通信し得る。
【００４３】
[0051]ＵＥ１２０（たとえば、１２０ａ、１２０ｂ、１２０ｃ）は、ワイヤレス通信ネットワーク１００全体にわたって分散され得、各ＵＥは固定または移動であり得る。ＵＥは、アクセス端末、端末、移動局（ＭＳ）、加入者ユニット、局（ＳＴＡ）などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、スマートフォン、ネットブック、スマートブック、ウルトラブックなどであり得る。
【００４４】
[0052]ワイヤレス通信ネットワーク１００（たとえば、ＬＴＥネットワーク）中の１つまたは複数のＵＥ１２０はまた、たとえば、ＭＴＣ  ＵＥ、ｅＭＴＣ  ＵＥなど、低コスト（ＬＣ）、低データレートデバイスであり得る。ＵＥは、ＬＴＥネットワーク中のレガシーおよび／または高度ＵＥと共存し得、ワイヤレスネットワーク中の他のＵＥ（たとえば、非ＬＣ  ＵＥ）と比較して制限された１つまたは複数の能力を有し得る。たとえば、ＬＴＥネットワーク中のレガシーおよび／または高度ＵＥと比較して、ＬＣ  ＵＥは、（レガシーＵＥに対する）最大帯域幅の低減、単一の受信無線周波数（ＲＦ）チェーン、ピークレートの低減、送信電力の低減、ランク１送信、半二重動作などのうちの１つまたは複数を用いて動作し得る。ＭＴＣデバイス、ｅＭＴＣデバイスなど、限られた通信リソースをもつデバイスは、一般にＬＣ  ＵＥと呼ばれることがある。同様に、（たとえば、ＬＴＥにおける）レガシーおよび／または高度ＵＥなどのレガシーデバイスは、一般に非ＬＣ  ＵＥと呼ばれることがある。
【００４５】
[0053]図２は、それぞれ、図１中のｅＮＢ１１０のうちの１つであり得るｅＮＢ１１０および図１中のＵＥ１２０のうちの１つであり得るＵＥ１２０の設計のブロック図２００である。
【００４６】
[0054]ｅＮＢ１１０において、送信プロセッサ２２０が、１つまたは複数のＵＥについてデータソース２１２からデータを受信し、ＵＥから受信されたチャネル品質インジケータ（ＣＱＩ）に基づいて各ＵＥのための１つまたは複数の変調およびコーディング方式（ＭＣＳ）を選択し、そのＵＥのために選択された（１つまたは複数の）ＭＣＳに基づいて各ＵＥのためのデータを処理（たとえば、符号化および変調）し、すべてのＵＥについてデータシンボルを与え得る。送信プロセッサ２２０はまた、（たとえば、半静的リソース区分情報（ＳＲＰＩ：semi-static resource partitioning information）などのための）システム情報および制御情報（たとえば、ＣＱＩ要求、許可、上位レイヤシグナリングなど）を処理し、オーバーヘッドシンボルおよび制御シンボルを与え得る。プロセッサ２２０はまた、基準信号（たとえば、共通基準信号（ＣＲＳ：common reference signal））および同期信号（たとえば、１次同期信号（ＰＳＳ：primary synchronization signal）および２次同期信号（ＳＳＳ：secondary synchronization signal））のための基準シンボルを生成し得る。送信（ＴＸ）多入力多出力（ＭＩＭＯ）プロセッサ２３０は、適用可能な場合、データシンボル、制御シンボル、オーバーヘッドシンボル、および／または基準シンボルに対して空間処理（たとえば、プリコーディング）を実行し得、Ｔ個の出力シンボルストリームをＴ個の変調器（ＭＯＤ）２３２ａ〜２３２ｔに与え得る。各ＭＯＤ２３２は、出力サンプルストリームを取得するために、（たとえば、ＯＦＤＭなどのために）それぞれの出力シンボルストリームを処理し得る。各ＭＯＤ２３２はさらに、ダウンリンク信号を取得するために、出力サンプルストリームを処理（たとえば、アナログへの変換、増幅、フィルタ処理、およびアップコンバート）し得る。変調器２３２ａ〜２３２ｔからのＴ個のダウンリンク信号は、それぞれＴ個のアンテナ２３４ａ〜２３４ｔを介して送信され得る。
【００４７】
[0055]ＵＥ１２０において、アンテナ２５２ａ〜２５２ｒが、ｅＮＢ１１０および／または他のｅＮＢからダウンリンク信号を受信し得、受信信号をそれぞれ復調器（ＤＥＭＯＤ）２５４ａ〜２５４ｒに与え得る。各ＤＥＭＯＤ２５４は、入力サンプルを取得するために、それの受信信号を調整（たとえば、フィルタ処理、増幅、ダウンコンバート、およびデジタル化）し得る。各ＤＥＭＯＤ２５４はさらに、受信シンボルを取得するために、（たとえば、ＯＦＤＭなどのために）入力サンプルを処理し得る。ＭＩＭＯ検出器２５６は、すべてのＲ個の復調器２５４ａ〜２５４ｒから受信シンボルを取得し、適用可能な場合、受信シンボルに対してＭＩＭＯ検出を実行し、検出されたシンボルを与え得る。受信プロセッサ２５８は、検出されたシンボルを処理（たとえば、復調および復号）し、ＵＥ１２０のための復号されたデータをデータシンク２６０に与え、復号された制御情報およびシステム情報をコントローラ／プロセッサ２８０に与え得る。チャネルプロセッサは、基準信号受信電力（ＲＳＲＰ）、受信信号強度インジケータ（ＲＳＳＩ）、基準信号受信品質（ＲＳＲＱ）、ＣＱＩなどを決定し得る。
【００４８】
[0056]アップリンク上では、ＵＥ１２０において、送信プロセッサ２６４が、データソース２６２からのデータと、コントローラ／プロセッサ２８０からの（たとえば、ＲＳＲＰ、ＲＳＳＩ、ＲＳＲＱ、ＣＱＩなどを備えるレポートのための）制御情報とを受信し、処理し得る。プロセッサ２６４はまた、１つまたは複数の基準信号のための基準シンボルを生成し得る。送信プロセッサ２６４からのシンボルは、適用可能な場合はＴＸ  ＭＩＭＯプロセッサ２６６によってプリコーディングされ、（たとえば、ＳＣ−ＦＤＭ、ＯＦＤＭなどのために）ＭＯＤ２５４ａ〜２５４ｒによってさらに処理され、ｅＮＢ１１０に送信され得る。ｅＮＢ１１０において、ＵＥ１２０および他のＵＥからのアップリンク信号は、アンテナ２３４によって受信され、ＤＥＭＯＤ２３２によって処理され、適用可能な場合はＭＩＭＯ検出器２３６によって検出され、ＵＥ１２０によって送られた、復号されたデータおよび制御情報を取得するために、受信プロセッサ２３８によってさらに処理され得る。プロセッサ２３８は、復号されたデータをデータシンク２３９に与え、復号された制御情報をコントローラ／プロセッサ２４０に与え得る。ｅＮＢ１１０は、通信ユニット２４４を含み、通信ユニット２４４を介してネットワークコントローラ１３０に通信し得る。ネットワークコントローラ１３０は、通信ユニット２９４と、コントローラ／プロセッサ２９０と、メモリ２９２とを含み得る。
【００４９】
[0057]コントローラ／プロセッサ２４０および２８０は、それぞれｅＮＢ１１０における動作およびＵＥ１２０における動作を指示し得る。たとえば、ｅＮＢ１１０におけるコントローラ／プロセッサ２４０および／または他のプロセッサおよびモジュールは、動作７００および／または本明細書で説明される技法のための他のプロセスを実行または指示し得る。同様に、ＵＥ１２０におけるコントローラ／プロセッサ２８０および／または他のプロセッサおよびモジュールは、動作６００および／または本明細書で説明される技法のためのプロセスを実行または指示し得る。メモリ２４２および２８２は、それぞれｅＮＢ１１０およびＵＥ１２０のためのデータおよびプログラムコードを記憶し得る。
【００５０】
[0058]たとえば、受信プロセッサ２５８、コントローラ／プロセッサ２８０、送信プロセッサ２６４、および／またはメモリ２８２のうちの１つまたは複数は、より広いシステム帯域幅内の少なくとも１つの狭帯域領域を識別することと、狭帯域領域中で、１つまたは複数の他のＵＥによって送信されるシンボルと多重化される物理アップリンクチャネルのシンボルを送信するための、ＵＥに割り当てられたリソースを決定することとを行うように構成され得る。アンテナ２５２およびＭＯＤ２５４のうちの１つまたは複数は、識別されたリソースを使用して物理アップリンクチャネルを送信するように構成され得る。
【００５１】
[0059]送信プロセッサ２２０、ＴＸ  ＭＩＭＯプロセッサ２３０、コントローラ／プロセッサ２４０、スケジューラ２４６、受信機プロセッサ２３８および／またはメモリ２４２のうちの１つまたは複数は、より広いシステム帯域幅内の少なくとも１つの狭帯域領域を識別することと、狭帯域領域中での、１つまたは複数の他のＵＥによって送信されるシンボルと多重化される物理アップリンクチャネルのシンボルの送信のためのリソースをユーザ機器（ＵＥ）に割り当てることとを行うように構成され得る。アンテナ２３２およびＤＥＭＯＤ２３２のうちの１つまたは複数は、ＵＥから、識別されたリソースを使用して物理アップリンクチャネルを受信するように構成され得る。
【００５２】
[0060]図３は、ＬＴＥにおけるＦＤＤのための例示的なフレーム構造３００を示す。ダウンリンクおよびアップリンクの各々についての送信タイムラインは、無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示されているように）ノーマルサイクリックプレフィックスの場合は７つのシンボル期間、または拡張サイクリックプレフィックスの場合は６つのシンボル期間を含み得る。各サブフレーム中の２Ｌ個のシンボル期間は０〜２Ｌ−１のインデックスを割り当てられ得る。
【００５３】
[0061]ＬＴＥでは、ｅＮＢは、ｅＮＢによってサポートされる各セルについてシステム帯域幅の中心１．０８ＭＨｚにおいてダウンリンク上で１次同期信号（ＰＳＳ）と２次同期信号（ＳＳＳ）とを送信し得る。ＰＳＳおよびＳＳＳは、図３に示されているように、それぞれ、ノーマルサイクリックプレフィックスをもつ各無線フレームのサブフレーム０および５中のシンボル期間６および５中に送信され得る。ＰＳＳおよびＳＳＳは、セル探索および収集のためにＵＥによって使用され得る。ｅＮＢは、ｅＮＢによってサポートされるセルごとにシステム帯域幅にわたってセル固有基準信号（ＣＲＳ：cell-specific reference signal）を送信し得る。ＣＲＳは、各サブフレームのいくつかのシンボル期間中に送信され得、チャネル推定、チャネル品質測定、および／または他の機能を実行するためにＵＥによって使用され得る。ｅＮＢはまた、いくつかの無線フレームのスロット１中のシンボル期間０〜３中に物理ブロードキャストチャネル（ＰＢＣＨ：physical broadcast channel）を送信し得る。ＰＢＣＨは何らかのシステム情報を搬送し得る。ｅＮＢは、いくつかのサブフレームにおいて物理ダウンリンク共有チャネル（ＰＤＳＣＨ：physical downlink shared channel）上でシステム情報ブロック（ＳＩＢ：system information block）などの他のシステム情報を送信し得る。ｅＮＢは、サブフレームの第１のＢ個のシンボル期間中に、物理ダウンリンク制御チャネル（ＰＤＣＣＨ：physical downlink control channel）上で制御情報／データを送信し得、ここで、Ｂは各サブフレームについて構成可能であり得る。ｅＮＢは、各サブフレームの残りのシンボル期間中に、ＰＤＳＣＨ上でトラフィックデータおよび／または他のデータを送信し得る。
【００５４】
[0062]ＬＴＥにおけるＰＳＳ、ＳＳＳ、ＣＲＳ、およびＰＢＣＨは、公開されている「Evolved Universal Terrestrial Radio Access (E-UTRA); Physical Channels and Modulation」と題する３ＧＰＰ  ＴＳ３６．２１１に記載されている。
【００５５】
[0063]図４は、ノーマルサイクリックプレフィックスをもつ、ダウンリンクのための２つの例示的なサブフレームフォーマット４１０および４２０を示す。ダウンリンクのための利用可能な時間周波数リソースはリソースブロック（ＲＢ）に区分され得る。各ＲＢは、１つのスロット中で１２個のサブキャリアをカバーし得、いくつかのリソース要素を含み得る。各リソース要素は、１つのシンボル期間中に１つのサブキャリアをカバーし得、実数値または複素数値であり得る１つの変調シンボルを送るために使用され得る。
【００５６】
[0064]サブフレームフォーマット４１０は、２つのアンテナを装備したｅＮＢのために使用され得る。ＣＲＳは、シンボル期間０、４、７、および１１中にアンテナ０および１から送信され得る。基準信号は、送信機および受信機によってアプリオリに知られる信号であり、パイロットと呼ばれることもある。ＣＲＳは、たとえば、セル識別情報（ＩＤ）に基づいて生成される、セルに固有である基準信号である。図４では、ラベルＲａをもつ所与のリソース要素について、アンテナａからはそのリソース要素上で変調シンボルが送信され得、他のアンテナからはそのリソース要素上で変調シンボルが送信されないことがある。サブフレームフォーマット４２０は、４つのアンテナを装備したｅＮＢのために使用され得る。ＣＲＳは、シンボル期間０、４、７、および１１中にアンテナ０および１から送信され得、シンボル期間１および８中にアンテナ２および３から送信され得る。サブフレームフォーマット４１０とサブフレームフォーマット４２０の両方について、ＣＲＳは、セルＩＤに基づいて決定され得る、均等に離間したサブキャリア上で送信され得る。異なるｅＮＢが、それらのセルＩＤに応じて、同じまたは異なるサブキャリア上でそれらのＣＲＳを送信し得る。サブフレームフォーマット４１０とサブフレームフォーマット４２０の両方について、ＣＲＳのために使用されないリソース要素は、データ（たとえば、トラフィックデータ、制御データ、および／または他のデータ）を送信するために使用され得る。
【００５７】
[0065]ＬＴＥにおけるＦＤＤのためのダウンリンクおよびアップリンクの各々のためにインターレース構造が使用され得る。たとえば、０〜Ｑ−１のインデックスをもつＱ個のインターレースが定義され得、ただし、Ｑは、４、６、８、１０、または何らかの他の値に等しいことがある。各インターレースは、Ｑ個のフレームだけ離間されたサブフレームを含み得る。特に、インターレースｑは、サブフレームｑ、ｑ＋Ｑ、ｑ＋２Ｑなどを含み得、ただし、ｑ∈｛０，．．．，Ｑ−１｝である。
【００５８】
[0066]ワイヤレスネットワークは、ダウンリンクおよびアップリンク上でのデータ送信のためにハイブリッド自動再送要求（ＨＡＲＱ）をサポートし得る。ＨＡＲＱの場合、送信機（たとえば、ｅＮＢ１１０）は、パケットが受信機（たとえば、ＵＥ１２０）によって正確に復号されるか、または何らかの他の終了条件が遭遇されるまで、パケットの１つまたは複数の送信を送り得る。同期ＨＡＲＱの場合、パケットのすべての送信は、単一のインターレースのサブフレーム中で送られ得る。非同期ＨＡＲＱの場合、パケットの各送信は、任意のサブフレーム中で送られ得る。
【００５９】
[0067]ＵＥは、複数のｅＮＢのカバレージ内に位置し得る。これらのｅＮＢのうちの１つが、そのＵＥをサービスするために選択され得る。サービングｅＮＢは、受信信号強度、受信信号品質、経路損失などの様々な基準に基づいて選択され得る。受信信号品質は、信号対干渉プラス雑音比（ＳＩＮＲ：signal-to-interference-plus-noise ratio）、または基準信号受信品質（ＲＳＲＱ）、または何らかの他のメトリックによって定量化され得る。ＵＥは、ＵＥが１つまたは複数の干渉ｅＮＢからの高い干渉を観測し得る支配的干渉シナリオにおいて動作し得る。
【００６０】
[0068]（たとえば、レガシー「非ＭＴＣ」デバイスのための）旧来のＬＴＥ設計の焦点は、スペクトル効率の改善、ユビキタスカバレージ、および拡張サービス品質（ＱｏＳ）サポートに対するものである。現在のＬＴＥシステムのダウンリンク（ＤＬ）およびアップリンク（ＵＬ）リンクバジェットは、比較的大きいＤＬおよびＵＬリンクバジェットをサポートし得る、最先端のスマートフォンおよびタブレットなど、ハイエンドデバイスのカバレージのために設計される。しかしながら、低コスト、低レートデバイスもサポートされる必要がある。
【００６１】
[0069]したがって、上記で説明されたように、ワイヤレス通信ネットワーク（たとえば、ワイヤレス通信ネットワーク１００）中の１つまたは複数のＵＥは、ワイヤレス通信ネットワーク中の他の（非ＬＣ）デバイスと比較して、ＬＣ  ＵＥなど、限られた通信リソースを有するデバイスであり得る。
【００６２】
[0070]たとえば、ＬＴＥ  Ｒｅｌ−１３における、いくつかのシステムでは、ＬＣ  ＵＥ（たとえば、ＭＴＣ、ｅＭＴＣ  ＵＥ）は、利用可能なシステム帯域幅内の特定の狭帯域割当てに制限され得る。しかしながら、ＬＣ  ＵＥは、たとえば、ＬＴＥシステム内で共存するために、ＬＴＥシステムの利用可能なシステム帯域幅内の異なる狭帯域領域に再同調することが可能であり得る。
【００６３】
[0071]ＬＴＥシステム内での共存の別の例として、ＬＣ  ＵＥは、レガシー物理ブロードキャストチャネル（ＰＢＣＨ）（たとえば、概して、セルへの初期アクセスのために使用され得るパラメータを搬送するＬＴＥ物理チャネル）を（繰返しで）受信し、１つまたは複数のレガシー物理ランダムアクセスチャネル（ＰＲＡＣＨ：physical random access channel）フォーマットをサポートすることが可能であり得る。たとえば、ＬＣ  ＵＥは、複数のサブフレームにわたるＰＢＣＨの１回または複数回の追加の繰返しでレガシーＰＢＣＨを受信することが可能であり得る。別の例として、ＬＣ  ＵＥは、ＬＴＥシステムにおけるｅＮＢにＰＲＡＣＨの１回または複数回の繰返しを送信する（たとえば、１つまたは複数のＰＲＡＣＨフォーマットがサポートされる）ことが可能であり得る。ＰＲＡＣＨは、ＬＣ  ＵＥを識別するために使用され得る。また、繰り返されるＰＲＡＣＨ試みの数は、ｅＮＢによって構成され得る。
【００６４】
[0072]ＬＣ  ＵＥはまた、リンクバジェット制限デバイスであり得、それのリンクバジェット制限に基づいて（たとえば、ＬＣ  ＵＥにまたはそこから送信される繰り返されるメッセージの異なる量を伴う）異なる動作モードで動作し得る。たとえば、いくつかの場合には、ＬＣ  ＵＥは、繰返しがほとんどない（たとえば、ＵＥがメッセージを正常に受信および／または送信するために必要とされる繰返し量が小さいことがあるか、または繰返しが必要とされないことさえある）ノーマルカバレージモードで動作し得る。代替的に、いくつかの場合には、ＬＣ  ＵＥは、大きい量の繰返しがあり得るカバレージ拡張（ＣＥ）モードで動作し得る。たとえば、３２８ビットペイロードの場合、ＣＥモードにあるＬＣ  ＵＥは、ペイロードを正常に受信するために、ペイロードの１５０回以上の繰返しを必要とし得る。
【００６５】
[0073]いくつかの場合には、たとえば、同じくＬＴＥ  Ｒｅｌ−１３の場合、ＬＣ  ＵＥは、ブロードキャスト送信およびユニキャスト送信のそれの受信に関する制限された能力を有することがある。たとえば、ＬＣ  ＵＥによって受信されたブロードキャスト送信のための最大トランスポートブロック（ＴＢ）サイズは、１０００ビットに制限され得る。さらに、いくつかの場合には、ＬＣ  ＵＥは、サブフレーム中で２つ以上のユニキャストＴＢを受信することが可能でないことがある。いくつかの場合には（たとえば、上記で説明されたＣＥモードとノーマルモードの両方の場合）、ＬＣ  ＵＥは、サブフレーム中で２つ以上のブロードキャストＴＢを受信することが可能でないことがある。さらに、いくつかの場合には、ＬＣ  ＵＥは、サブフレーム中でユニキャストＴＢとブロードキャストＴＢの両方を受信することが可能でないことがある。
【００６６】
[0074]ＭＴＣの場合、ＬＴＥシステムにおいて共存するＬＣ  ＵＥはまた、ページング、ランダムアクセスプロシージャなどのいくつかのプロシージャのための新しいメッセージを（たとえば、これらのプロシージャのためにＬＴＥにおいて使用される従来のメッセージとは対照的に）サポートし得る。言い換えれば、ページング、ランダムアクセスプロシージャなどのためのこれらの新しいメッセージは、非ＬＣ  ＵＥに関連する同様のプロシージャのために使用されるメッセージとは別個であり得る。たとえば、ＬＴＥにおいて使用される従来のページングメッセージと比較して、ＬＣ  ＵＥは、非ＬＣ  ＵＥが監視および／または受信することが可能ないことがあるページングメッセージを監視および／または受信することが可能得る。同様に、従来のランダムアクセスプロシージャにおいて使用される従来のランダムアクセス応答（ＲＡＲ）メッセージと比較して、ＬＣ  ＵＥは、同じく、非ＬＣ  ＵＥによって受信されることが可能でないことがあるＲＡＲメッセージを受信することが可能であり得る。ＬＣ  ＵＥに関連する新しいページングおよびＲＡＲメッセージはまた、１回または複数回繰り返され（たとえば、「バンドル」され）得る。さらに、新しいメッセージについて異なる繰返し数（たとえば、異なるバンドリングサイズ）がサポートされ得る。
【００６７】
例示的なマルチユーザ多重化フレーム構造
[0075]本明細書で説明される理由で、本開示の態様は、マルチユーザ多重化を有利にサポートするｅＭＴＣ  ＵＥのための新しいフレーム構造を提供する。ｅＭＴＣ  ＵＥは、たとえば、全システム帯域幅のうちの狭帯域領域のみを使用して、リソースの限られたセットとしばしば通信する。この狭帯域領域は、サイズが、たとえば、６つのリソースブロック（ＲＢ）から単一のＲＢ以下までに及び得る（ここで、各ＲＢは、サブフレームの１つのスロット中で１２個のサブキャリア（トーン）をカバーし得、いくつかのリソース要素を含み得る）。ｅＭＴＣはリソースの限られたセットを使用するので、複数のｅＭＴＣ  ＵＥを多重化することは課題を提示し得る。たとえば、これらのＵＥによって使用される限られたリソースはまた、複数のｅＭＴＣ  ＵＥを多重化するために共有するのに利用可能なリソースが限られていることを意味する。
【００６８】
[0076]たとえば、ＬＴＥ  Ｒｅｌ−１３における、いくつかのシステムは、ｅＭＴＣならびに他のＵＥのためのカバレージ拡張（ＣＥ）およびサポートを導入する。本明細書で使用されるＣＥという用語は、概して、ネットワーク内の（ｅＭＴＣデバイスなどの）デバイスのカバレージ範囲を拡張する任意のタイプの機構を指す。ＣＥのための１つの手法は、同じデータを複数回送信することを指すバンドリングを含む。同じデータを複数回送信することは、複数のサブフレームにわたって同じデータを送信すること、または同じサブフレーム内の複数のシンボルにわたって同じデータを送信することを指すことがある。
【００６９】
[0077]いくつかのシステムは、ＵＥとｅＮＢとの間の１５５．７ｄＢ最大結合損失にマッピングする最高１５ｄＢのカバレージ拡張をもつＭＴＣ  ＵＥを与え得る。したがって、ｅＭＴＣ  ＵＥおよびｅＮＢは、低いＳＮＲ（たとえば、−１５ｄＢ〜−２０ｄＢ）において測定を実行し得る。いくつかのシステムでは、カバレージ拡張はチャネルバンドリングを含み得、ここにおいて、ｅＭＴＣ  ＵＥに関連するメッセージがバンドルされ得る（たとえば、複数のサブフレームにわたって繰り返され得るか、または同じサブフレーム内の複数のシンボルにわたって繰り返され得る）。いくつかのシステムでは、ｅＭＴＣ  ＵＥは、より広いシステム帯域幅中で動作しながら狭帯域動作をサポートし得る。たとえば、ｅＭＴＣ  ＵＥは、より広いシステム帯域幅のうちの狭帯域領域中で送信および受信し得る。上述のように、狭帯域領域は６つのＲＢから単一のＲＢ以下をスパンし得る。
【００７０】
[0078]図５は、物理アップリンク共有チャネルのための例示的なフレーム構造５００を示す。この例では、第１のＵＥは、専用ＲＢ（たとえば、そのＵＥに専用のＲＢ）を使用し得る。したがって、他のＵＥは、単一のｅＮＢに送信するために（第１のＵＥに専用の）それらのＲＢ中で多重化されないことがある。
【００７１】
[0079]図示されたフレーム構造５００では、第１のＵＥは、いくつかのＲＢを占有し得、周波数ホッピングを実行しないことがある。図示のように、第１のＵＥは、２つのシンボルを使用して基準信号（ＲＳ）（０．５スロットの各々中で１つのＲＳ）を送信し得、第１のＵＥは、残りのシンボルを使用してＰＵＳＣＨを送信し得る。（図５に示されていない）いくつかのシナリオでは、たとえば、ＰＵＳＣＨフレーム構造５００の最後のシンボルがサウンディング基準信号（ＳＲＳ）送信のために使用されるとき、短縮ＰＵＳＣＨフォーマットが使用され得る。ＰＵＳＣＨフレーム構造の最後のシンボルがＳＲＳのために使用されるとき、利用可能なＰＵＳＣＨシンボルの数は１だけ減少され得る。したがって、ＵＥは、２つのシンボルを使用してＲＳシンボル（フレーム５００のサブフレームの０．５ｍｓスロットの各々中で１つのＲＳ）を送信し、フレーム５００の１つのシンボルを使用してＳＲＳを送信し、フレーム５００の残りのシンボルを使用してＰＵＳＣＨを送信し得る。
【００７２】
[0080]現在の合意に従って、ＰＵＳＣＨ送信はｅＭＴＣ  ＵＥのためにバンドルされ得る。ＰＵＳＣＨ送信をバンドリングすることは、ＰＵＳＣＨ送信が、複数のサブフレーム上でおよび／または同じサブフレーム内の複数のシンボル上で繰り返され得ることを意味する。繰返し数を指すことがあるバンドリングサイズはＣＥレベルに依存し得る。態様によれば、より多くの繰返しはより大きいＣＥに対応し得る。残念ながら、バンドリングは、メッセージを繰り返すためにＵＥによってリソースが使用されるので、ＵＥの全体的容量を低減し得る。
【００７３】
[0081]いくつかの事例では、ＰＵＳＣＨのためのサブバンド間のクロスサブフレーム周波数ホッピングが、ｅＭＴＣデバイスのためのアップリンクチャネルのためにサポートされ得る。サブバンド間のクロスサブフレーム周波数ホッピングは、異なるサブフレーム中でのＵＥによる異なる周波数リソースの使用を指すことがある（たとえば、サブフレームにわたってＵＥによって使用される異なる周波数リソース）。たとえば、ｅＭＴＣデバイスは、第１のサブフレーム中に第１の周波数を使用してＰＵＳＣＨ上でシンボルを送信し得、その後、第２のサブフレーム中に第２の周波数を使用してＰＵＳＣＨ上でシンボルを送信するために異なる周波数にホッピングし得る。クロスサブフレーム周波数ホッピングのためのサポートは、ｅＭＴＣ  ＵＥによってホッピングが何回可能にされるか、各ｅＭＴＣ  ＵＥが周波数上にどのくらいの時間の間とどまり得るか、および／またはＰＵＳＣＨのためのスロットベース周波数ホッピングのサポートを示し得る。スロットベース周波数ホッピングは、デバイスが、ＰＵＳＣＨ上でシンボルを送信するために、サブフレームの第１のスロット中の第１の周波数から同じサブフレームの第２のスロット中の第２の周波数に再同調することを指すことがある。
【００７４】
[0082]上記で説明されたように、ｅＭＴＣ  ＵＥは、より広いシステム帯域幅内の狭帯域領域中で動作し得る。いくつかのシナリオでは、ｅＭＴＣ  ＵＥは、単一のＲＢをスパンする狭帯域領域中で動作し得る。「１ＲＢ」ｅＭＴＣ設計は、複数のユーザをサポートするための課題を提示し得る。上記で説明されたように、単一のＲＢの限られた周波数リソースを複数のユーザの間で共有することは困難であり得る。複数のユーザをサポートするために、ＵＥは、単一のＲＢの一部分を使用し得る。各ＵＥがＲＢ全体を割り当てられるのではなく、各ＵＥは、ＲＢの単一のトーンまたは数個のトーンを割り当てられ得る。しかしながら、単一のＲＢの一部分の使用は、現在のＬＴＥヌメロロジーから逸脱し、周波数ダイバーシティの損失を引き起こし得る。
【００７５】
[0083]したがって、本開示の態様は、共用リソースを使用するアップリンク送信において使用するための（たとえば、異なる拡散コード、サイクリックシフト、拡散率、および／またはホッピングパターンを示す）異なるパラメータを割り振ることによってユーザ多重化を有利にサポートする、ｅＭＴＣ  ＵＥのための新しいフレーム構造を提供する。本明細書で説明されるように、ＵＥは、アップリンク送信のために使用すべき拡散コード、サイクリックシフト、拡散率、および／またはホッピングパターンのうちの１つまたは複数を示す少なくとも１つのパラメータを決定し（たとえば、割り当てられ）得る。本明細書で説明されるマルチユーザ多重化をサポートするフレーム構造は、有利には、「１ＲＢ」ｅＭＴＣ設計および／または（たとえば、各ＵＥが単一のトーンなどのＲＢの一部分を割り当てられ得る）部分ＲＢ設計において実装され得る。
【００７６】
[0084]図６は、本開示の態様による、ＵＥによって実行され得る例示的な動作６００を示す。図２中のＵＥ１２０の１つまたは複数のモジュールを含み得る図１中のＵＥ１２０ａ、１２０ｂ、および／または１２０ｃは、本明細書で説明される動作を実行するように構成され得る。たとえば、ＵＥ１２０の受信プロセッサ２５８、送信プロセッサ２６４、コントローラ／プロセッサ２８０、メモリ２８２、アンテナ２５２および／または復調器／変調器２５４のうちの１つまたは複数が、本明細書で説明される動作を実行し得る。
【００７７】
[0085]６０２において、ＵＥは、より広いシステム帯域幅内の少なくとも１つの狭帯域領域を識別する。６０４において、ＵＥは、狭帯域領域中で、１つまたは複数の他のＵＥによって送信されるシンボルと多重化される物理アップリンクチャネルのシンボルを送信するための、ＵＥに割り当てられた少なくとも１つのパラメータを決定する。６０６において、ＵＥは、少なくとも１つの決定されたパラメータを使用して物理アップリンクチャネルを送信する。パラメータは、ＵＬ送信のためにＵＥによって使用されるべきサイクリックシフト、拡散コード、（拡散コードの長さを指す）拡散率、サブフレームホッピングパターン、またはスロットベースホッピングパターンのうちの１つまたは複数を示し得る。
【００７８】
[0086]図７は、本開示の態様による、ｅＮＢによって実行され得る例示的な動作７００を示す。図２中のｅＮＢ１１０の１つまたは複数のモジュールを含み得る図１中のｅＮＢ１１０ａ、１１０ｂ、１１０ｃ、および／または１１０ｄは、本明細書で説明される動作を実行するように構成され得る。たとえば、ｅＮＢ１１０の送信プロセッサ、２２０、受信プロセッサ２３８、コントローラ／プロセッサ２４０、メモリ２４２、アンテナ２３４および／または復調器／変調器２３２のうちの１つまたは複数が、本明細書で説明される動作を実行し得る。
【００７９】
[0087]７０２において、ｅＮＢは、より広いシステム帯域幅内の少なくとも１つの狭帯域領域を識別する。上述のように、狭帯域領域は１つのＲＢから６つのＲＢまでにスパンし得る。７０４において、ｅＮＢは、狭帯域領域中での、１つまたは複数の他のＵＥによって送信されるシンボルと多重化される物理アップリンクチャネルのシンボルの送信のための少なくとも１つのパラメータをＵＥに割り当てる。７０６において、ｅＮＢは、ＵＥから、少なくとも１つの割り当てられたパラメータを使用して物理アップリンクチャネルを受信する。
【００８０】
[0088]単一ＲＢ狭帯域領域など、狭帯域周波数領域のアップリンクリソースを複数のユーザに割り振るために、狭帯域領域のリソースは複数のユーザの間で多重化され得る。さらに、狭帯域領域内での異なるＵＥからの送信の直交性を維持するために、ｅＮＢは、異なるサイクリックシフト（たとえば、異なるシフトされたＣｈｕシーケンス）または拡散コードをＵＥに割り当て得る。ＵＥは、割り当てられたサイクリックシフトまたは拡散コードをそれらのそれぞれの送信に適用し得る。異なるサイクリックシフトを割り当てることによって、同じ周波数リソースを使用する異なるｅＭＴＣ  ＵＥからの送信は周波数領域中で直交し得る。異なる拡散コードを割り当てることによって、シンボルまたはサブフレームの同じセットを使用する異なるｅＭＴＣ  ＵＥからの送信は時間領域中で直交し得る。いくつかの場合には、拡散コードとサイクリックシフトとの組合せが、複数のユーザをサポートするためにＵＥによって使用され得る。
【００８１】
[0089]態様によれば、ｅＭＴＣ  ＵＥからのデータシンボルは、時間領域中の複数のシンボル上で拡散コード（直交カバー）を使用して多重化され得る。本明細書で説明されるように、構成可能な拡散率（ＳＦ）が使用され得、ここで、拡散率という用語は、概して、拡散コードの長さを指す。言い換えれば、拡散率は、拡散コードが、繰り返される送信に適用されるべき回数を指すことがある。拡散コードの「１」は送信の非反転バージョンに対応し得、拡散コードの「−１」は送信の反転バージョンに対応し得る。
【００８２】
[0090]態様によれば、ｅＭＴＣ  ＵＥからのＲＳシンボルは、時間領域中で直交カバーを用いて拡散すること、周波数領域中でサイクリックシフトを適用すること、または直交カバーを使用して拡散することとサイクリックシフトを適用することの両方の組合せを使用して多重化され得る。
【００８３】
[0091]図８は、本開示の態様による、マルチユーザ多重化のための例示的なフレーム構造８００を示す。拡散率が使用されないとき、ＳＦ＝１である。ＳＦ＝１であるとき、各シンボルは異なることになる。
【００８４】
[0092]ユーザ多重化をサポートするために、フレーム８００のデータシンボルは、複数のシンボル上で拡散され得、ここで、Ｎ個の隣接するシンボル期間上でデータシンボルを送信するために拡散コードが使用され得る。ＵＥは、データシンボルに長さＮのコードシーケンス（拡散コード）を乗算し、次のＮ個のＯＦＤＭシンボルにわたって特定のサブキャリア上でデータシンボルを送信し得る。ＵＥによって使用される拡散コードは、ｅＮＢによって構成され、受信機によって知られ得る。拡散コードは、同じ時間周波数リソースを使用する複数のＵＥからデータを受信するためにｅＮＢによって使用され得る。このようにして、本明細書で説明されるマルチユーザ多重化はユーザ容量を増加させ得る。
【００８５】
[0093]再び図８を参照すると、２つのデータシンボルのグループは、８０２に示されているように、ＳＦ＝２を使用して拡散され得る。３つのデータシンボルのグループは、８０４に示されているように、ＳＦ＝３を使用して拡散され得る。６つのデータシンボルのグループは、８０６に示されているように、ＳＦ＝６を使用して拡散され得る。概して、異なる拡散コードを使用して多重化され得るデバイス（たとえばＵＥ）の数は、拡散コードの長さと、直交組合せの対応する数とに関係する。たとえば、ＳＦ＝２である場合、拡散コード［１，１］および［１，−１］により、異なるＵＥからの各送信がこれらのコードのうちの１つを乗算された後に直交送信が生じる。したがって、２つのデータシンボルのグループについてＳＦ＝２であるとき、データシンボルのグループのために最高２つの異なるＵＥからの送信がサポートされ得る。別の例として、ＳＦ＝４である場合、拡散コード［１，１，１，１］、［１，１，−１，−１］、［１，−１，１，−１］、および［１，−１，−１，１］により、最高４つのＵＥからの各送信がこれらのコードのうちの１つを乗算された後に直交送信が生じる。言い換えれば、４つのデータシンボルのグループについてＳＦ＝４であるとき、最高４つの異なるＵＥからの直交送信がサポートされ得る。したがって、より長い拡散コードはより多くの直交送信をサポートし得、ここにおいて、直交送信は異なるユーザからのものであり得る。上記で説明されたように、ＳＦ＝２は、２つのユーザからの直交送信をサポートし得、ＳＦ＝４は、４つのユーザからの直交送信をサポートし得る。このようにして、（たとえば、より大きい拡散率に関連する）より長い拡散コードは、より多数のＵＥからの多重化された直交送信をサポートし得る。１２個のデータシンボルをもつ（たとえば、図８に示されているような）ノーマルサブフレームの場合、ＳＦ＝１、２、３、４、６、および／または１２が使用され得る。
【００８６】
[0094]ＲＳシンボルについて、時間領域中でＳＦ＝２が使用され得、ここにおいて、２つのＲＳシンボル上でアダマールコードが使用され得る。代替的に、ＲＳシンボルについて、周波数領域中での基準信号シンボルごとの分離のためにサイクリックシフトが使用され得る。ＳＦ＝４、６、または１２である場合、基準信号シンボルごとの分離のためにサイクリックシフトが適用され得る。代替的に、時間および周波数多重化の２×２、３×２、または６×２組合せが基準信号シンボルのために使用され得る。
【００８７】
[0095]ノーマルサブフレーム中のデータシンボルについて、（たとえば、８０２に示されているように）ＳＦ＝２である場合、および（たとえば、８０８に示されているように）ＳＦ＝４である場合、アダマールコードが使用され得る。ＳＦ＝４はクロススロット拡散を生じ得る。クロススロット拡散に従って、４つのデータシンボルの第１のセット８０８ａは周波数リソースの第１のセットを使用し得、４つのデータシンボルの第２のセット８０８ｂは周波数リソースの第２のセットを使用し得る。図８に示されているように、４つのデータシンボルのセット８０８ｂは、サブフレーム８００の第１のスロットと第２のスロットとをスパンし得る。したがって、クロススロット周波数ホッピングを使用するであろうＳＦ＝４は、スロットベース周波数ホッピングが可能にされた場合（ここで、周波数ホッピングは、同じサブフレームの異なるタイムスロット中に異なる周波数リソースを使用することを指す）、実行可能でないことがある。したがって、スロットベース周波数ホッピングが可能にされない場合、ｅＭＴＣ  ＵＥがＳＦ＝４を使用することは望ましくないことがある。代替的に、ノーマルサブフレーム中のデータシンボルについて、ＳＦ＝３、６、および１２をサポートするためにＤＦＴ行列が使用され得る。
【００８８】
[0096]図９は、本開示の態様による、アップリンクマルチユーザ多重化をサポートする例示的なサブフレームフォーマット９００を示す。第１の可能性によれば、ＳＦは、直交送信を生じる２つの異なる拡散コードを使用して、２つのユーザによる直交送信をサポートし得る。たとえば、短縮サブフレームフォーマットで２つのユーザをサポートするためにＳＦ＝２およびＳＦ＝３が使用され得る。図９に示されているように、短縮サブフレームフォーマットでの１１個のデータシンボルのうち、８つのデータシンボルがＳＦ＝２を使用して送信され得、３つのデータシンボルがＳＦ＝３を用いて送信され得る（２つのデータシンボルの４つのセットを送信するためにＳＦ＝２が使用され得、３つのデータシンボルの１つのセットを送信するためにＳＦ＝３が使用され得る）。
【００８９】
[0097]第２の可能性によれば、ＳＦフォーマット９００は、直交送信を生じる３つの異なる拡散コードを使用して、３つのユーザによる直交送信をサポートし得る。たとえば、３つのユーザをサポートするためにＳＦ＝３およびＳＦ＝４が使用され得る。図９に示されているように、短縮サブフレームフォーマットでの１１個のデータシンボルのうち、３つのデータシンボルがＳＦ＝３を用いて送信され得、８つのデータシンボルがＳＦ＝４を用いて送信され得る（最初の３つのデータシンボルを送信するためにＳＦ＝３が使用され得、４つのデータシンボルの２つのセットを送信するためにＳＦ＝４が使用され得る）。
【００９０】
[0098]（図９に示されていない）第３の可能性によれば、ＳＦは、（たとえば、直交送信を生じる少なくとも５つの異なる拡散コードを用いて）５つのユーザをサポートし得る。たとえば、５つのユーザをサポートするためにＳＦ＝５およびＳＦ＝６が使用され得る。短縮サブフレームフォーマットでの１１個のデータシンボルのうち、５つのデータシンボルがＳＦ＝５を使用して送信され得、６つのデータシンボルがＳＦ＝６を使用して送信され得る。
【００９１】
[0099]（同じく図９に図示されていない）第４の可能性によれば、ＳＦは１１個のユーザをサポートし得る。たとえば、ＳＦ＝１１が使用され得る。短縮サブフレームフォーマットでの１１個のデータシンボルがＳＦ＝１１を使用して送信され得る。
【００９２】
[0100]態様によれば、ＵＥが、クロススロットまたはクロスサブフレーム多重化のためにある周波数から別の周波数に同調するための再チューニング時間は、多重化されたＵＥ間の直交性を破壊しないことがある。クロスサブフレーム周波数ホッピングの場合、ＳＦ＝２または３がサポートされ得る。
【００９３】
[0101]クロスサブフレーム周波数ホッピングのための第１のオプションによれば、次のサブフレームの第１のスロット中の最初のシンボル（たとえば、２つまたは３つのシンボル）がドロップされ得る（たとえば、ＵＬ送信のために使用されないことがある）。短縮サブフレームでは、ＳＦ＝２が使用され得、次のサブフレームの第１のスロット中の最初の２つのシンボルがドロップされ得る。
【００９４】
[0102]クロスサブフレーム周波数ホッピングのための第２のオプションによれば、（たとえば、ＵＥが現在サブフレームから次のサブフレームにホッピングすると仮定して）現在サブフレームの最後のスロット中の最後のシンボル（たとえば、２つまたは３つのシンボル）がドロップされ得る（たとえば、ＵＥによるＵＬ送信のために使用されないことがある）。
【００９５】
[0103]態様によれば、クロスサブフレーム周波数ホッピングのための再同調は、第１のサブフレームの最後の１つまたは複数のシンボル、第２のサブフレームの最初の１つまたは複数のシンボル、または第１のサブフレームおよび第２のサブフレームからのシンボルの組合せの間に生じ得る。このようにして、クロスサブフレーム周波数ホッピングのための再同調は、第１のサブフレームの最後の１つまたは複数のシンボル、または第２のサブフレームの最初の１つまたは複数のシンボルのうちの少なくとも一方の間に生じ得る。
【００９６】
[0104]スロットベース周波数ホッピングの場合、ＳＦ＝２または３が使用され得る。一例によれば、次のサブフレームの第２のスロットの最初のシンボル（たとえば、２つまたは３つのシンボル）またはサブフレームの第１のスロット中の最後のシンボル（たとえば、２つまたは３つのシンボル）がドロップされ得る。
【００９７】
[0105]アップリンクチャネル上でのマルチユーザ多重化はユーザ容量を有利に増加させ得る。これは、上記で説明されたように、制限された次元を有する１ＲＢ  ｅＭＴＣ設計において特に重要であり得る。さらに、１つのＲＢを使用する増加されたユーザ容量は、部分ＲＢ設計に対する代替設計を与え得、ＬＴＥヌメロロジーに整合したままであり得る。さらに、複数のＵＥについてユーザ容量とデータレートとのバランスをとるためにフレキシブルなＳＦが使用され得る。
【００９８】
[0106]本開示の態様は、ｅＮＢスケジューリングサポートを用いて、改善されたトラッキングループを有利に提供する。たとえば、ＳＦは１よりも大きいことがあり、これは、２つ以上のユーザをサポートし得る。しかしながら、ｅＮＢは、ＳＦが１よりも大きいにもかかわらず、単一のユーザのみをスケジュールし得る。たとえば、ＳＦは２であり得、ｅＮＢは、単一のＵＥのみをスケジュールし得る。ｅＮＢは、トラッキングループを改善するために、単一のＵＥからの受信されたデータシンボルの繰返しを使用し得る。ｅＮＢは、周波数オフセットを推定するために、繰り返された拡散されたシンボルを相互相関させ得る。
【００９９】
[0107]クロスサブフレーム拡散と比較して、本開示の態様は、たとえば、（サブフレームにわたる拡散期間とは対照的に）シンボルにわたるより短い拡散期間により、より良い直交性を提供し得る。たとえば、拡散期間は、本明細書で説明される態様を使用して、より短くなり得る（たとえば、２つのシンボル）。より短い拡散期間は、サブフレームにわたる拡散と比較して、より良い直交性を可能にし得る。クロスサブフレームホッピングでは、直交性を維持するために、チャネルは、拡散期間内に同じままである必要があり得、ユーザのグループは、同じ時間にホッピングする必要があり得る。有利には、サブフレーム内での拡散は、ユーザが独立して周波数をホッピングすることを可能にし得る。さらに、拡散は、複数のサブフレームにわたってデータシンボルを再シャッフルすると見なされ得るので、本開示の態様は、データレートまたはトランスポートブロック（ＴＢ）サイズを低減しないことがある。ＴＢサイズ決定は、ＳＦおよびバンドリングを考慮に入れ得、容易にスケーリングされ得る。したがって、データレートの低減なしにユーザ容量が増加し得る。
【０１００】
[0108]本明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【０１０１】
[0109]本明細書の開示に関して説明された方法またはアルゴリズムのステップは、直接ハードウェアで実施されるか、プロセッサによって実行されるソフトウェア／ファームウェアモジュールで実施されるか、またはその２つの組合せで実施され得る。ソフトウェア／ファームウェアモジュールは、ＲＡＭメモリ、フラッシュメモリ、ＲＯＭメモリ、ＥＰＲＯＭメモリ、ＥＥＰＲＯＭ（登録商標）メモリ、ＰＣＭ（相変化メモリ）、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、および／または記憶媒体に情報を書き込むことができるように、プロセッサに結合される。代替として、記憶媒体はプロセッサに一体化され得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。概して、図に示されている動作がある場合、それらの動作は、同様の番号をもつ対応するカウンターパートのミーンズプラスファンクション構成要素を有し得る。
【０１０２】
[0110]態様によれば、ＵＥおよび／またはｅＮＢの１つまたは複数の構成要素は、本明細書で説明および具陳される手段を実行し得る。たとえば、受信プロセッサ２５８、コントローラ／プロセッサ２８０、送信プロセッサ２６４、および／またはメモリ２８２のうちの１つまたは複数は、より広いシステム帯域幅内の少なくとも１つの狭帯域領域を識別することと、狭帯域領域中で、１つまたは複数の他のＵＥによって送信されるシンボルと多重化される物理アップリンクチャネルのシンボルを送信するための、ＵＥに割り当てられたリソースを決定することとを行うように構成され得る。アンテナ２５２およびＭＯＤ２５４のうちの１つまたは複数は、識別されたリソースを使用して物理アップリンクチャネルを送信するように構成され得る。
【０１０３】
[0111]送信プロセッサ２２０、ＴＸ  ＭＩＭＯプロセッサ２３０、コントローラ／プロセッサ２４０、スケジューラ２４６、受信機プロセッサ２３８および／またはメモリ２４２のうちの１つまたは複数は、より広いシステム帯域幅内の少なくとも１つの狭帯域領域を識別することと、狭帯域領域中での、１つまたは複数の他のＵＥによって送信されるシンボルと多重化される物理アップリンクチャネルのシンボルの送信のためのリソースをユーザ機器（ＵＥ）に割り当てることとを行うように構成され得る。アンテナ２３２およびＤＥＭＯＤ２３２のうちの１つまたは複数は、ＵＥから、識別されたリソースを使用して物理アップリンクチャネルを受信するように構成され得る。
【０１０４】
[0112]１つまたは複数の例示的な設計では、説明された機能は、ハードウェア、ソフトウェア／ファームウェアまたはそれらの組合せで実装され得る。ソフトウェア／ファームウェアで実装される場合、機能は、１つまたは複数の命令またはコードとしてコンピュータ可読媒体上に記憶されるか、またはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェア／ファームウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【０１０５】
[0113]本開示についての以上の説明は、いかなる当業者も本開示を作成または使用することができるように与えられたものである。本開示への様々な変更は当業者には容易に明らかになり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
【図１】
2018526867.tif 000003
【図２】
2018526867.tif 000004
【図３】
2018526867.tif 000005
【図４】
2018526867.tif 000006
【図５】
2018526867.tif 000007
【図６】
2018526867.tif 000008
【図７】
2018526867.tif 000009
【図８】
2018526867.tif 000010
【図９】
2018526867.tif 000011
【国際調査報告】
2018526867.tif 000012
2018526867.tif 000013
2018526867.tif 000014
2018526867.tif 000015